(57)【要約】【課題】現金の取引に要する時間を短縮する。【解決手段】取引予約装置１００は、ユーザの口座情報、当該ユーザに関連付けられた識別情報及び金額を示す予約情報を取得する取得部１１０と、取得された予約情報をあらかじめ登録された情報に基づいて認証する認証部１２０と、認証された予約情報が示す金額による現金の取引を示す取引情報のユーザに関連付けられた記憶媒体への書き込みを当該取引前に書込部に実行させる書込制御部１３０とを有する。【選択図】      図１
2017173987.tif 000002
【特許請求の範囲】
【請求項１】
ユーザの口座情報及び金額を示す予約情報を取得し、
前記取得された予約情報をあらかじめ登録された情報に基づいて認証し、
前記認証された予約情報が示す金額による現金の取引を示す取引情報の前記ユーザに関連付けられた記憶媒体への書き込みを当該取引前に実行させる
取引予約方法。
【請求項２】
前記記憶媒体と通信する通信装置が接続された現金取引装置が、前記取引情報を読み出すと、当該取引情報に応じた金額の現金を出金する
請求項１に記載の取引予約方法。
【請求項３】
前記予約情報は、前記口座情報、前記金額及び前記ユーザに関連付けられた識別情報を示し、
前記口座情報及び前記識別情報の組合せから一意的に生成される認証情報を用いて前記予約情報を認証する
請求項１又は請求項２に記載の取引予約方法。
【請求項４】
前記予約情報は、第１の予約情報と、当該第１の予約情報よりも後に取得される第２の予約情報とを含み、
前記第１の予約情報及び前記第２の予約情報に含まれる前記口座情報が同一である場合に、前記取引情報を更新する
請求項１から請求項３までのいずれか１項に記載の取引予約方法。
【請求項５】
前記記憶媒体は、ＮＦＣ（Near Field Communication）に準拠した通信方式による非接触通信を行うＩＣ（Integrated Circuit）チップである
請求項１から請求項４までのいずれか１項に記載の取引予約方法。
【請求項６】
前記記憶媒体は、移動通信端末に搭載され、当該移動通信端末からのアクセスが制限される
請求項１から請求項５までのいずれか１項に記載の取引予約方法。
【請求項７】
ユーザの口座情報及び金額を示す予約情報を取得する取得手段と、
前記取得された予約情報をあらかじめ登録された情報に基づいて認証する認証手段と、
前記認証された予約情報が示す金額による現金の取引を示す取引情報の前記ユーザに関連付けられた記憶媒体への書き込みを当該取引前に書込手段に実行させる書込制御手段と
を備える取引予約装置。
【請求項８】
移動通信端末と、サーバ装置とを備え、
前記移動通信端末は、
ユーザの口座情報及び金額を示す予約情報を前記サーバ装置に送信する送信手段と、
前記予約情報が示す金額による現金の取引を示す取引情報を記憶媒体に書き込む書込手段とを有し、
前記サーバ装置は、
前記送信された予約情報を受信する受信手段と、
前記受信された予約情報をあらかじめ登録された情報に基づいて認証する認証手段と、
前記認証された予約情報に応じた前記取引情報の前記記憶媒体への書き込みを当該取引前に前記書込手段に実行させる書込制御手段とを有する
取引予約システム。
【請求項９】
コンピュータに、
ユーザの口座情報及び金額を示す予約情報を取得する処理と、
前記取得された予約情報をあらかじめ登録された情報に基づいて認証する処理と、
前記認証された予約情報が示す金額による現金の取引を示す取引情報の前記ユーザに関連付けられた記憶媒体への書き込みを当該取引前に書込手段に実行させる処理と
を実行させるためのプログラム。
【発明の詳細な説明】
【技術分野】
【０００１】
本開示は、現金の取引に関する。
【背景技術】
【０００２】
ＡＴＭ（Automatic Teller Machine）等の現金取引装置による取引には、待ち時間を要する場合がある。例えば、現金取引装置の設置台数に比して多数の利用客が取引を必要としている場合、利用客は、慣例的には現金取引装置を先着順に利用する。また、利用客は、自身の順番になり、現金取引装置を利用可能になった後にも、暗証番号等の入力に相応の時間を要する。加えて、このような入力作業は、後続の利用客の待ち時間を増加させる。
【０００３】
現金を伴わない銀行取引においては、いわゆるインターネットバンキングも利用されている。しかし、現金を必要とする場合には、依然として、現金取引装置や有人の窓口を利用する必要がある。また、現金を伴う取引にスマートフォン等の移動通信端末を利用する技術は、インターネットバンキングに限らず知られている。例えば、特許文献１は、Bluetooth（登録商標）等の近距離無線通信によってＡＴＭと通信し、入力された暗証番号等の情報をＡＴＭに送信する携帯電話を開示している。
【先行技術文献】
【特許文献】
【０００４】
【特許文献１】特開２０１３−１１７８４９号公報
【発明の概要】
【発明が解決しようとする課題】
【０００５】
現金の取引に関連するこのような技術は、移動通信端末を用いたとしても、取引に要する一定の時間が発生することを避けられない。例えば、特許文献１に記載された技術において、携帯電話のユーザは、ＡＴＭにキャッシュカードを挿入してから暗証番号等を入力する必要があり、ＡＴＭの前での入力作業を要する。
【０００６】
本開示の例示的な目的の一つは、現金の取引に要する時間を短縮することである。
【課題を解決するための手段】
【０００７】
本開示の一態様に係る取引予約方法は、ユーザの口座情報及び金額を示す予約情報を取得し、前記取得された予約情報をあらかじめ登録された情報に基づいて認証し、前記認証された予約情報が示す金額による現金の取引を示す取引情報の前記ユーザに関連付けられた記憶媒体への書き込みを当該取引前に実行させる。
【０００８】
本開示の別の態様に係る取引予約装置は、ユーザの口座情報及び金額を示す予約情報を取得する取得手段と、前記取得された予約情報をあらかじめ登録された情報に基づいて認証する認証手段と、前記認証された予約情報が示す金額による現金の取引を示す取引情報の前記ユーザに関連付けられた記憶媒体への書き込みを当該取引前に書込手段に実行させる書込制御手段とを有する。
【０００９】
本開示のさらに別の態様に係る取引予約システムは、移動通信端末と、サーバ装置とを有し、前記移動通信端末は、ユーザの口座情報及び金額を示す予約情報を前記サーバ装置に送信する送信手段と、前記予約情報が示す金額による現金の取引を示す取引情報を記憶媒体に書き込む書込手段とを有し、前記サーバ装置は、前記送信された予約情報を受信する受信手段と、前記受信された予約情報をあらかじめ登録された情報に基づいて認証する認証手段と、前記認証された予約情報に応じた前記取引情報の前記記憶媒体への書き込みを当該取引前に前記書込手段に実行させる書込制御手段とを有する。
【００１０】
本開示のさらに別の態様に係るプログラムは、コンピュータに、ユーザの口座情報及び金額を示す予約情報を取得する処理と、前記取得された予約情報をあらかじめ登録された情報に基づいて認証する処理と、前記認証された予約情報が示す金額による現金の取引を示す取引情報の前記ユーザに関連付けられた記憶媒体への書き込みを当該取引前に書込手段に実行させる処理とを実行させる。
【発明の効果】
【００１１】
本開示によれば、現金の取引に要する時間が短縮される。
【図面の簡単な説明】
【００１２】
【図１】図１は、取引予約装置の構成の一例を示すブロック図である。
【図２】図２は、取引予約装置の動作の一例を示すフローチャートである。
【図３】図３は、取引システムの構成の一例を示すブロック図である。
【図４】図４は、移動通信端末の構成の一例を示すブロック図である。
【図５】図５は、口座情報の一例を示す図である。
【図６】図６は、ＡＴＭの構成の一例を示すブロック図である。
【図７】図７は、取引システムの各部の動作を示すシーケンスチャートである。
【図８】図８は、取引システムの各部の動作を示すシーケンスチャートである。
【図９】図９は、メニュー画面の一例を示す図である。
【図１０】図１０は、入力画面の一例を示す図である。
【図１１】図１１は、登録画面の一例を示す図である。
【図１２】図１２は、取引システムの各部の動作を示すシーケンスチャートである。
【図１３】図１３は、取引システムの各部の動作を示すシーケンスチャートである。
【図１４】図１４は、入力画面の一例を示す図である。
【図１５】図１５は、確認画面の一例を示す図である。
【図１６】図１６は、予約完了画面の一例を示す図である。
【図１７】図１７は、取引システムの各部の動作の一例を示すシーケンスチャートである。
【図１８】図１８は、取引予約システムの構成の一例を示すブロック図である。
【図１９】図１９は、コンピュータ装置のハードウェア構成の一例を示すブロック図である。
【発明を実施するための形態】
【００１３】
［第１実施形態］
図１は、本開示の一実施形態に係る取引予約装置１００の構成を示すブロック図である。取引予約装置１００は、現金の取引に用いられる情報処理装置である。取引予約装置１００は、取得部１１０と、認証部１２０と、書込制御部１３０とを含む。
【００１４】
本実施形態において、現金の取引とは、所定の金融機関（例えば銀行）に預けられた金銭の一部又は全部を紙幣又は貨幣によって出金する（引き出す）行為をいう。ただし、後述されるように、本開示における取引は、この行為のみに限定されない。
【００１５】
取引予約装置１００は、取引の予約、すなわち出金の予約を可能にする。取引予約装置１００は、所定の通信端末を介して予約を受け付ける。取引予約装置１００は、予約された取引を示す取引情報を、現金取引装置が読み取り可能な記憶媒体に書き込むための制御を実行する。
【００１６】
取得部１１０は、予約情報を取得する。予約情報は、少なくとも口座情報と金額とを示す情報である。予約情報は、他の情報を含んでもよい。例えば、予約情報は、ユーザ（出金する者）に関連付けられた識別情報や、取引が予約された日時を示す情報を含んでもよい。識別情報は、ユーザ自身に関連付けられていてもよいが、ユーザの所有物（移動通信端末など）に関連付けられていてもよい。識別情報は、予約情報に係るユーザを一意的に特定することが可能な情報であればよい。
【００１７】
口座情報は、ユーザの銀行口座を特定するための情報である。口座情報は、典型的には、口座番号を少なくとも含む。また、口座情報は、金融機関、店舗（本店、支店など）、口座の種別（普通預金、当座預金など）、口座の名義人、名義人の生年月日又は暗証番号を示す情報を含んでもよい。
【００１８】
取得部１１０は、所定の通信端末を介して予約情報を取得する。この通信端末は、例えば、スマートフォンなどのユーザが所有する移動通信端末であるが、必ずしもモバイル機器でなくてもよく、ユーザの所有物でなくてもよい。例えば、ユーザは、インターネット等のネットワークに接続された自己又は他人のパーソナルコンピュータを用いて、予約情報を取引予約装置１００に送信してもよい。
【００１９】
認証部１２０は、取得部１１０により取得された予約情報を認証する。ここでいう認証とは、情報の正当性を確認することをいう。認証部１２０は、あらかじめ登録された情報に基づいて予約情報を認証する。例えば、認証部１２０は、取得部１１０により取得された予約情報を、あらかじめ記憶された口座情報と比較することによって認証する。あるいは、認証部１２０は、取得部１１０により取得された予約情報を、あらかじめ記憶された口座情報と識別情報の組合せと比較し、予約情報に含まれる口座情報と識別情報の組合せがあらかじめ記憶された組合せと一致するか否かを判断してもよい。
【００２０】
なお、認証部１２０による認証方法は、上述された例に限定されない。また、認証部１２０は、予約情報に含まれる口座情報及び識別情報に加えて、金額の正当性を判断してもよい。例えば、認証部１２０は、予約情報に含まれる金額が所定の金額（限度額など）以下であるかや、ユーザの口座の残高以下であるかを判断してもよい。
【００２１】
書込制御部１３０は、認証部１２０により認証された（すなわち、正当性が確認された）予約情報に応じた処理を実行する。書込制御部１３０は、認証部１２０により認証された予約情報が示す金額による取引を示す取引情報を、現金取引装置が読み取り可能な所定の記憶媒体に書き込むための制御を実行する。取引情報は、予約情報と同様の情報を含んでもよく、また、他の情報が付加されてもよい。例えば、取引情報は、取引を管理するための情報（取引通番）や、取引の有効期限を示す情報を含んでもよい。
【００２２】
取引情報が記録される記憶媒体は、例えば、非接触通信が可能なＩＣ（Integrated Circuit）チップである。このＩＣチップは、例えば、ＩＳＯ／ＩＥＣ（International Organization for Standardization/International Electrotechnical Commission）により規格化されたＮＦＣ（Near Field Communication）に準拠した通信方式（又は類似の通信方式）のＩＣチップである。ＩＣチップは、カード型であってもよいし、移動通信端末に搭載されていてもよい。ここでいう搭載とは、移動通信端末に内蔵される態様のほか、移動通信端末本体からアクセス可能に組み込まれる他の態様を含み得る。
【００２３】
書込制御部１３０は、このような記憶媒体への取引情報の書き込みを書込手段に実行させる。ここでいう書込手段は、具体的には、例えばＩＣチップのリーダライタである。書込手段は、ユーザが所有する移動通信端末に含まれてもよいが、取引予約装置１００に含まれてもよい。
【００２４】
なお、取引予約装置１００において用いられる情報は、適当なタイミングで、情報の読み取りの制限（暗号化など）及びその制限の解除（復号など）が実行されてもよい。例えば、口座情報は、口座番号そのものではなく、口座番号が特定できるように所定の方法で加工された情報を含んでもよい。
【００２５】
図２は、取引予約装置１００の動作を示すフローチャートである。なお、取引予約装置１００は、ある取引に係る動作を事前に、すなわち当該取引前に実行する。ステップＳ１１において、取得部１１０は、予約情報を取得する。取得部１１０は、この予約情報を認証部１２０に供給する。認証部１２０は、ステップＳ１２において、予約情報を認証する。
【００２６】
書込制御部１３０は、認証部１２０による認証結果に応じた処理を実行する。具体的には、書込制御部１３０は、ステップＳ１３において、予約情報が認証部１２０により認証されたか否かを判断する。書込制御部１３０は、予約情報が正当であると判断された場合（ステップＳ１３：ＹＥＳ）、ステップＳ１４において取引情報の書き込みを書込手段に実行させる。
【００２７】
一方、予約情報が正当でないと判断された場合（ステップＳ１３：ＮＯ）、書込制御部１３０は、ステップＳ１４の処理をスキップする。すなわち、書込制御部１３０は、取引情報の書き込みを書込手段に実行させない。予約情報が正当でないと判断された場合、書込制御部１３０は、エラー処理を実行してもよい。エラー処理は、例えば、口座情報等に誤りがあることをユーザに通知する処理である。
【００２８】
以上に説明されたように、本実施形態によれば、ユーザに関連付けられ、現金取引装置が読み取り可能な所定の記憶媒体に取引情報を事前に書き込んでおくことが可能である。ユーザは、この記憶媒体を現金取引装置に読み取らせることで、予約した金額の現金を出金することが可能である。ユーザは、現金取引装置に設けられたタッチスクリーンディスプレイやボタンによって金額等を入力する場合に比べ、現金取引装置の付近に留まる時間を少なくすることができる。
【００２９】
なお、図２に示された取引予約装置１００の動作は、取引前に実行可能であり、また、現金取引装置の付近で実行される必要もない。したがって、ユーザは、現金取引装置が設置されている場所によらずに、思い立ったタイミングで予約を実行することが可能である。
【００３０】
［第２実施形態］
本実施形態は、上述された第１実施形態の具体例又は応用例に相当する。具体的には、ユーザは、本実施形態においては、ＩＣチップを搭載した移動通信端末を使用して取引を実行する。本実施形態は、ＩＣチップにFeliCa（登録商標）技術が用いられる場合の例として説明される。FeliCa技術の通信方式は、ＩＳＯ／ＩＥＣ  １８０９２に準拠している。なお、本実施形態において、第１実施形態と同一の用語は、特段の定義又は説明がない場合、第１実施形態と同様の意味で用いられる。
【００３１】
図３は、本実施形態に係る取引システム２００の構成を示すブロック図である。取引システム２００は、移動通信端末２１０と、第１サーバ２２０と、第２サーバ２３０と、FeliCaサーバ２４０と、勘定系ホスト２５０と、ＡＴＭ２６０とを含む。これらの構成要素の数は、特定の数に限定されない。
【００３２】
移動通信端末２１０は、ユーザが所持する無線通信端末である。移動通信端末２１０は、例えば、スマートフォンやタブレット端末である。移動通信端末２１０は、第１サーバ２２０、第２サーバ２３０及びFeliCaサーバ２４０とネットワーク２７０を介して接続されている。ネットワーク２７０は、例えば、インターネットや移動体通信網である。ネットワーク２７０は、複数のネットワークを含み得る。
【００３３】
図４は、移動通信端末２１０の構成を示すブロック図である。移動通信端末２１０は、制御部２１１と、記憶部２１２と、通信部２１３と、ＵＩ（User Interface）部２１４と、FeliCaチップ２１５とを含む。
【００３４】
制御部２１１は、移動通信端末２１０の各部の動作を制御する。制御部２１１は、ＣＰＵ（Central Processing Unit）などのプロセッサと主記憶装置に相当するメモリとを含む。制御部２１１は、プログラムを実行することによって所定の機能を実現する。制御部２１１が実現する機能には、取引の予約に関連する一連の機能（以下「出金予約機能」ともいう。）が含まれる。
【００３５】
記憶部２１２は、補助記憶装置に相当する。記憶部２１２は、例えば、フラッシュメモリなどの不揮発性の記憶媒体を含んで構成される。また、記憶部２１２は、メモリカード等の着脱可能な記憶手段とデータを授受するインタフェースを含み得る。この着脱可能な記憶手段は、ＵＩＭ（User Identity Module）カードを含み得る。
【００３６】
記憶部２１２は、制御部２１１に用いられるデータを記憶する。例えば、記憶部２１２は、制御部２１１が実行するプログラムを記憶する。記憶部２１２に記憶されるプログラムには、出金予約機能を実現するためのアプリケーションプログラムが含まれる。以下においては、このアプリケーションプログラムのことを「出金予約アプリ」ともいう。
【００３７】
通信部２１３は、ネットワーク２７０を介して他の装置とデータを授受する。ＵＩ部２１４は、ユーザによる入力を受け付け、ユーザに情報を提示する。ＵＩ部２１４は、液晶ディスプレイ、ボタン（キーパッド）、タッチスクリーンディスプレイ、スピーカ、マイクロホンなどを含み得る。ＵＩ部２１４は、バイブレータ等のハプティック・インタフェースを含んでもよい。
【００３８】
FeliCaチップ２１５は、ＡＴＭ２６０と通信可能なＩＣチップである。FeliCaチップ２１５は、より詳細には、プロセッサ２１５１と、メモリ２１５２と、アンテナ２１５３とを含む。
【００３９】
プロセッサ２１５１は、ＣＰＵ、コプロセッサ等の１又は複数の演算処理回路を含む。プロセッサ２１５１は、メモリ２１５２からのデータの読み出し及びメモリ２１５２へのデータの書き込みを実行する。また、プロセッサ２１５１は、データの暗号化及び復号を実行する。メモリ２１５２は、ＲＯＭ（Read Only Memory）、ＲＡＭ（Random Access Memory）、ＥＥＰＲＯＭ（Electrically Erasable Programmable ROM）などを含み得る。なお、メモリ２１５２の特定の記憶領域に記憶されたデータは、移動通信端末２１０本体からのアクセスが制限される。アンテナ２１５３は、FeliCa技術の通信方式によってＡＴＭ２６０とデータを授受する。
【００４０】
なお、移動通信端末２１０は、FeliCaチップ２１５（又はこれを使用する移動通信端末）を識別するための識別情報が割り当てられている。この識別情報のことを、以下においては「端末識別情報」という。端末識別情報は、第１実施形態における識別情報の一例に相当する。
【００４１】
端末識別情報は、例えば、FeliCaチップ２１５の製造ＩＤ（ＩＤｍ）である。製造ＩＤは、FeliCaチップ２１５に製造時に記録されるFeliCaチップ２１５に固有の書き換え不可能な識別番号である。あるいは、端末識別情報は、移動通信端末２１０に固有の識別情報であり、例えばＩＭＥＩ（International Mobile Equipment Identity）やＩＭＳＩ（International Mobile Subscriber Identity）である。あるいは、端末識別情報は、出金予約アプリの利用に際して割り当てられるユーザに固有の識別情報であってもよい。
【００４２】
第１サーバ２２０及び第２サーバ２３０は、移動通信端末２１０を用いた現金の取引を管理するサーバ装置である。第２サーバ２３０は、第１実施形態の取引予約装置１００に相当する機能を有する。すなわち、第２サーバ２３０は、取得部１１０、認証部１２０及び書込制御部１３０に相当する機能を有する。
【００４３】
FeliCaサーバ２４０は、移動通信端末２１０に所定の機能を付与する。本実施形態において、FeliCaサーバ２４０は、FeliCaチップ２１５のメモリ２１５２に出金予約機能のための記憶領域を設定する処理を実行する。この処理のことを、以下においては「エリア発行処理」という。また、FeliCaサーバ２４０は、エリア発行処理により設定された記憶領域に対するデータの読み出し、書き込み、削除などを制御する処理を実行する。これらの処理の実行に必要なデータは、出金予約アプリを提供し、第１サーバ２２０及び第２サーバ２３０を運用するサービス事業者によってFeliCaサーバ２４０にあらかじめ登録されている。なお、エリア発行処理により設定された記憶領域は、移動通信端末２１０本体からのアクセスが制限される。
【００４４】
勘定系ホスト２５０は、口座情報を管理するコンピュータ装置である。勘定系ホスト２５０は、専用線、ＶＰＮ（Virtual Private Network）などの所定のネットワークを介してＡＴＭ２６０とデータを授受する。また、勘定系ホスト２５０は、第１サーバ２２０からの要求に応じて口座情報を照合する。
【００４５】
図５は、本実施形態における口座情報を示す図である。口座情報は、口座識別情報と本人確認情報に大別される。口座識別情報は、金融機関コード、店番号及び口座番号を含む。金融機関コードは、金融機関を識別するために割り当てられた番号である。店番号は、金融機関コードにより識別される金融機関の店舗を識別するために割り当てられた番号である。口座番号は、ユーザの口座を識別するために割り当てられた番号である。本人確認情報は、氏名、生年月日及び暗証番号を含む。本人確認情報は、ユーザによってあらかじめ金融機関に登録されている。なお、出金予約アプリが特定の金融機関用のアプリケーションプログラムである場合には、金融機関コードは不要である。
【００４６】
ＡＴＭ２６０は、銀行取引をユーザの操作によって行うための機械である。本実施形態のＡＴＭ２６０は、一般的なＡＴＭの機能に加え、FeliCaチップ２１５との通信機能を有する。なお、ＡＴＭ２６０は、いわゆる現金自動支払機（キャッシュディスペンサー）でも代用可能である。ＡＴＭ２６０は、第１実施形態の現金取引装置の一例に相当する。
【００４７】
図６は、ＡＴＭ２６０の構成を示すブロック図である。ＡＴＭ２６０は、取引処理部２６１と、現金処理部２６２と、ＵＩ部２６３と、カードリーダ２６４と、プリンタ２６５と、FeliCaリーダライタ２６６とを含む。
【００４８】
取引処理部２６１は、現金の取引に関する処理を実行する。取引処理部２６１は、例えば、取引の詳細（入金額又は出金額、日時など）を記述した電文を生成し、勘定系ホスト２５０に送信する。現金処理部２６２は、入金及び出金に関する処理を実行する。現金処理部２６２は、例えば、現金を収容したり、出金額に応じた現金を排出したりする。
【００４９】
ＵＩ部２６３は、ユーザの入力を受け付け、ユーザに情報を提示する。ＵＩ部２６３は、例えば、タッチスクリーンディスプレイ、キーパッド、スピーカなどを含む。カードリーダ２６４は、キャッシュカードに記録された情報を読み取る。プリンタ２６５は、取引の詳細又は結果を所定の用紙（レシート又は通帳）に印字する。
【００５０】
FeliCaリーダライタ２６６は、移動通信端末２１０のFeliCaチップ２１５と通信する通信装置である。FeliCaリーダライタ２６６は、FeliCa技術の通信方式によってFeliCaチップ２１５と無線通信を行う。FeliCaリーダライタ２６６は、FeliCaチップ２１５と非接触通信が可能である。FeliCaリーダライタ２６６は、ここではFeliCaチップ２１５にデータを書き込む機能とFeliCaチップ２１５からデータを読み出す機能とを有するものとして説明されるが、データを書き込む機能は必須の機能ではない。
【００５１】
なお、図６のＡＴＭ２６０は、移動通信端末２１０による取引とキャッシュカードによる取引の双方を実現するために必要な構成を有している。したがって、図６に示されたＡＴＭ２６０の構成の一部（カードリーダ２６４、プリンタ２６５など）は、本実施形態の出金予約機能による出金に必須の構成ではない。
【００５２】
取引システム２００の構成は、以上のとおりである。このような構成の取引システム２００において、ユーザは、出金予約アプリがインストールされた移動通信端末２１０を用いて、ＡＴＭ２６０における出金を予約することが可能である。なお、出金予約アプリは、移動通信端末２１０にプリインストールされていてもよいが、当該アプリケーションの使用時までにインストールされればよい。
【００５３】
出金予約アプリは、出金予約機能を実現する。この出金予約機能は、ユーザの口座情報等を登録する初期登録機能を含む。初期登録機能は、より詳細には、ユーザの口座情報及び端末識別情報を第２サーバ２３０に登録し、FeliCaチップ２１５に出金予約アプリ用の記憶領域を設定するための機能である。
【００５４】
図７及び図８は、初期登録機能に関連する取引システム２００の各部の動作を示すシーケンスチャートである。また、図９〜図１１は、それぞれ、移動通信端末２１０が表示する画面の一例を示す。なお、これらの画面は、出金予約アプリが特定の金融機関用のアプリケーションプログラムである場合の例を示している。したがって、ユーザは、金融機関コードの入力を要しない。
【００５５】
図９は、出金予約アプリのメニュー画面を例示する。メニュー画面は、例えば、出金予約アプリの起動時に表示される。メニュー画面は、初期登録ボタンＢ１１及び出金ボタンＢ１２を含む。移動通信端末２１０は、ユーザにより初期登録ボタンＢ１１が選択（タップ等）されると、図１０に示される入力画面を表示する。
【００５６】
なお、移動通信端末２１０は、初期登録機能による登録が完了するまでは、出金ボタンＢ１２を無効状態にする。無効状態は、例えば、出金ボタンＢ１２が表示されないか、出金ボタンＢ１２を選択しても反応しない（何も起こらない）状態である。
【００５７】
図１０に示される入力画面は、テキストボックスＴ２１、Ｔ２２、Ｔ２３、Ｔ２４及びＴ２５を含む。この入力画面は、送信ボタンＢ２１をさらに含む。移動通信端末２１０は、テキストボックスＴ２１〜Ｔ２５により、店番号、口座番号、氏名、生年月日及び暗証番号の入力をそれぞれ受け付ける。なお、図１０に示される入力画面は、出金予約アプリが特定の金融機関用のアプリケーションプログラムである場合の例である。出金予約アプリが特定の金融機関用のアプリケーションプログラムでない場合、移動通信端末２１０は、金融機関コードの入力を受け付ける。
【００５８】
移動通信端末２１０は、ユーザの操作に応じて、メニュー画面を表示し（ステップＳ２０１）、次いで入力画面を表示する（ステップＳ２０２）。口座情報の入力を受け付け、送信ボタンＢ２２が選択されると、移動通信端末２１０は、入力された口座情報を端末識別情報とともに第１サーバ２２０に送信する（ステップＳ２０３）。
【００５９】
第１サーバ２２０は、本人確認情報（氏名、生年月日及び暗証番号）を含む口座情報を受信すると、その正否を判断する。具体的には、第１サーバ２２０は、入力された口座情報の正否を勘定系ホスト２５０に問い合わせる（ステップＳ２０４）。勘定系ホスト２５０は、第１サーバ２２０から送信された口座情報を自装置にあらかじめ記憶されている口座情報と比較し（ステップＳ２０５）、比較結果を第１サーバ２２０に送信する（ステップＳ２０６）。
【００６０】
第１サーバ２２０は、ステップＳ２０３において受信された口座情報が正しい（すなわち、勘定系ホスト２５０に記憶されている口座情報と一致する）場合、ステップＳ２０３において受信された口座情報及び端末識別情報を本人確認が行われたユーザの情報として第２サーバ２３０に送信する（ステップＳ２０７）。また、第１サーバ２２０は、口座情報の正否を移動通信端末２１０に通知する（ステップＳ２０８）。
【００６１】
図１１は、口座情報の登録画面を示す。移動通信端末２１０は、ユーザにより正しい口座情報が入力された場合、登録ボタンＢ３１及びキャンセルボタンＢ３２を含む登録画面を表示する。なお、ユーザにより正しい口座情報が入力されなかった場合及びユーザによりキャンセルボタンＢ３２が選択された場合の説明は、ここでは省略される。
【００６２】
移動通信端末２１０は、図１１に示される登録画面を表示し（ステップＳ２０９）、ユーザにより登録ボタンＢ３１が選択されると、口座情報及び端末識別情報を第２サーバ２３０に送信する（ステップＳ２１０）。このとき、移動通信端末２１０は、ユーザに口座情報を再度入力させる必要はなく、既に入力された口座情報を第２サーバ２３０に送信すればよい。
【００６３】
移動通信端末２１０は、少なくともステップＳ２０９の段階までは、入力画面において入力された口座情報を消去せずに保持する。ただし、セキュリティ上の理由により、移動通信端末２１０は、入力画面において入力された本人確認情報を所定のタイミング（例えば、出金ボタンＢ１２が有効化されるタイミング）で消去してもよい。
【００６４】
第２サーバ２３０は、移動通信端末２１０から送信された口座情報及び端末識別情報をステップＳ２１０において受信すると、ステップＳ２０７において第１サーバ２２０から送信された口座情報及び端末識別情報と比較する（ステップＳ２１１）。このとき、第２サーバ２３０は、ステップＳ２１０において受信された口座情報及び端末識別情報が本人確認済みのユーザの移動通信端末２１０によって送信されているか否かを判断する。
【００６５】
第２サーバ２３０は、比較された口座情報及び端末識別情報の組合せが一致した場合、端末認証情報を生成する（ステップＳ２１２）。端末認証情報とは、口座情報の一部又は全部と端末識別情報の組合せから一意的に生成される認証情報をいう。本実施形態の端末認証情報は、口座識別情報と端末識別情報とを用いて生成される。なお、第２サーバ２３０は、比較された口座情報及び端末識別情報の組合せが一致しなかった場合には、以降の処理を実行しなくてよい。
【００６６】
第２サーバ２３０は、口座識別情報と端末認証情報の組合せをデータベースに記録する（ステップＳ２１３）。このデータベースのことを、以下においては「管理ＤＢ（database）」という。管理ＤＢは、第２サーバ２３０の一部であってもよいが、第２サーバ２３０と通信可能な別異の装置であってもよい。
【００６７】
図８のシーケンスチャートは、図７のシーケンスチャートの続きを示している。第２サーバ２３０は、口座識別情報と端末認証情報の組合せをデータベースに記録した後、図８に示されるように、FeliCaサーバ２４０に認証を要求する（ステップＳ２１４）。FeliCaサーバ２４０は、サービス事業者によって登録された情報に基づき、移動通信端末２１０に対する出金予約アプリ用の記憶領域の設定を許可（又は禁止）する認証処理を実行する（ステップＳ２１５）。
【００６８】
ステップＳ２１４〜Ｓ２１５において、第２サーバ２３０及びFeliCaサーバ２４０は、公開鍵暗号方式に基づいた電子署名を用いて認証を行う。具体的には、第２サーバ２３０は、秘密鍵を用いてFeliCaサーバ２４０に認証を要求する。この要求に対し、FeliCaサーバ２４０は、サービス事業者からあらかじめ提供された公開鍵を用いて要求を検証し、認証処理を実行する。
【００６９】
FeliCaサーバ２４０は、認証処理の実行結果を示す認証応答を第２サーバ２３０に送信する（ステップＳ２１６）。認証応答は、出金予約アプリが処理開始時にFeliCaサーバ２４０に送信する要求を記述したデータを含んでいる。このデータは、本実施形態においては、ＵＲＬ（Uniform Resource Locator）形式で記述されている。以下においては、このデータのことを「処理開始ＵＲＬ」ともいう。処理開始ＵＲＬは、有効期限が設定されていてもよい。
【００７０】
第２サーバ２３０は、認証応答を受信すると、処理開始ＵＲＬを移動通信端末２１０に送信する（ステップＳ２１７）。移動通信端末２１０は、処理開始ＵＲＬに記述された要求（以下「処理開始要求」ともいう。）をFeliCaサーバ２４０に送信する（ステップＳ２１８）。ステップＳ２１７において送信される処理開始要求は、FeliCaチップ２１５のメモリ２１５２に出金予約アプリ用の記憶領域を設定する要求を含んでいる。
【００７１】
FeliCaサーバ２４０は、処理開始要求に応じてエリア発行処理を実行する（ステップＳ２１９）。より詳細には、FeliCaサーバ２４０は、あらかじめサービス事業者により登録された情報に従って、FeliCaチップ２１５が実行するコマンドを発行する。FeliCaサーバ２４０は、発行されたコマンドを移動通信端末２１０に送信する（ステップＳ２２０）。
【００７２】
移動通信端末２１０（より詳細には、制御部２１１）は、FeliCaサーバ２４０から送信されたコマンドをFeliCaチップ２１５に供給する。FeliCaチップ２１５において、プロセッサ２１５１は、制御部２１１から供給されたコマンドを実行することにより、メモリ２１５２の所定の記憶領域を出金予約アプリ用に利用可能な状態に設定する（ステップＳ２２１）。
【００７３】
これにより、FeliCaチップ２１５は、出金の予約が可能な状態になる。以下においては、ステップＳ２２１において利用可能になった出金予約アプリ用の記憶領域のことを「専用エリア」ともいう。移動通信端末２１０の制御部２１１による専用エリアへのアクセスは、出金予約アプリを介して行われるように（換言すれば、他のアプリケーションプログラムを介して行われないように）制限される。
【００７４】
移動通信端末２１０（より詳細には、制御部２１１）は、FeliCaチップ２１５がステップＳ２２０の処理を終了したら、無効状態である出金ボタンＢ１２を有効化する（ステップＳ２２２）。この有効化処理により、メニュー画面（図９参照）の出金ボタンＢ１２が選択可能な状態になる。
【００７５】
なお、ユーザは、複数の口座を出金予約アプリに登録することが可能である。複数の口座を登録する場合には、ユーザは、図７及び図８を用いて説明された手順を再度実行すればよい。
【００７６】
図１２及び図１３は、初期登録が終了した後、ユーザにより出金ボタンＢ１２が選択された場合の取引システム２００の各部の動作を示すシーケンスチャートである。また、図１４〜図１６は、それぞれ、移動通信端末２１０が表示する画面の一例を示す。
【００７７】
移動通信端末２１０は、ユーザの操作に応じて、図９に示されたメニュー画面を表示し（ステップＳ３０１）、次いで入力画面を表示する（ステップＳ３０２）。図１４は、ステップＳ３０２において表示される入力画面の一例を示す。この入力画面は、プルダウンメニューＰ４１と、テキストボックスＴ４１、Ｔ４２と、送信ボタンＢ４１とを含む。プルダウンメニューＰ４１は、ユーザによって既に登録された口座の店番号及び口座番号を表示する。登録済みの口座が複数ある場合、ユーザは、プルダウンメニューＰ４１に表示される複数の口座から取引対象の口座を選択する。テキストボックスＴ４１、Ｔ４２は、それぞれ、暗証番号又は出金額の入力を受け付ける。
【００７８】
ユーザにより送信ボタンＢ４１が選択されると、移動通信端末２１０は、入力画面において入力された情報を端末識別情報とともに第１サーバ２２０に送信する（ステップＳ３０３）。第１サーバ２２０は、ステップＳ３０２において送信された情報の正否を判断する。具体的には、第１サーバ２２０は、入力された情報の正否を勘定系ホスト２５０に問い合わせる（ステップＳ３０４）。勘定系ホスト２５０は、第１サーバ２２０から送信された情報を自装置にあらかじめ記憶されている口座情報と比較し（ステップＳ３０５）、比較結果を第１サーバ２２０に送信する（ステップＳ３０６）。
【００７９】
第１サーバ２２０は、ステップＳ３０３において受信された情報が正しい（すなわち、勘定系ホスト２５０に記憶されている口座情報と一致する）場合、ステップＳ３０３において受信された情報及び端末識別情報を本人確認が行われたユーザの情報として第２サーバ２３０に送信する（ステップＳ３０７）。また、第１サーバ２２０は、入力された情報の正否を移動通信端末２１０に通知する（ステップＳ３０８）。
【００８０】
図１５は、出金額の確認画面を示す。移動通信端末２１０は、入力された情報が正しい場合、予約ボタンＢ５１及びキャンセルボタンＢ５２を含む確認画面を表示する（ステップＳ３０９）。なお、ユーザにより正しい情報が入力されなかった場合及びユーザによりキャンセルボタンＢ５２が選択された場合の説明は、ここでは省略される。
【００８１】
移動通信端末２１０は、図１５に示される確認画面を表示し、ユーザにより予約ボタンＢ５１が選択されると、入力された店番号、口座番号及び金額と端末識別情報とを第２サーバ２３０に送信する（ステップＳ３１０）。ステップＳ３１０において送信される情報は、第１実施形態における予約情報の一例に相当する。
【００８２】
第２サーバ２３０は、ステップＳ３１０において送信された情報（予約情報）が認証済みの口座の情報か否かを判断することによって予約情報を認証する。具体的には、第２サーバ２３０は、管理ＤＢを参照し、ステップＳ３１０において送信された口座識別情報により特定される口座が管理ＤＢに記録されているか否かを判断する（ステップＳ３１１）。また、第２サーバ２３０は、ステップＳ３１０において送信された口座識別情報及び端末識別情報の組合せから端末認証情報を生成し、生成された端末認証情報と管理ＤＢに記録されている端末認証情報とが一致するか否かを判断する（ステップＳ３１２）。
【００８３】
図１３のシーケンスチャートは、図１２のシーケンスチャートの続きを示している。第２サーバ２３０は、ステップＳ３１２において比較された端末認証情報が一致すると、図１３に示されるように、FeliCaサーバ２４０に認証を要求する（ステップＳ３１３）。FeliCaサーバ２４０は、サービス事業者によって登録された情報に基づき、専用エリアに対する情報の書き込みを許可（又は禁止）する認証処理を実行する（ステップＳ３１４）。第２サーバ２３０及びFeliCaサーバ２４０は、ステップＳ３１３〜Ｓ３１４においても、ステップＳ２１４〜Ｓ２１５と同様に公開鍵暗号方式に基づいた電子署名を用いて認証を行う。
【００８４】
FeliCaサーバ２４０は、認証処理の実行結果を示す認証応答を第２サーバ２３０に送信する（ステップＳ３１５）。この認証応答は、ステップＳ２１６における認証応答と同様に、処理開始ＵＲＬを含んでいる。ただし、ステップＳ３１５における処理開始ＵＲＬには、ステップＳ２１６における認証応答と異なり、専用エリアに書き込むデータ（出金額等）が記述されている。
【００８５】
第２サーバ２３０は、認証応答を受信すると、処理開始ＵＲＬを移動通信端末２１０に送信する（ステップＳ３１６）。移動通信端末２１０は、処理開始ＵＲＬに記述された処理開始要求をFeliCaサーバ２４０に送信する（ステップＳ３１７）。ステップＳ３１７において送信される処理開始要求は、専用エリアに書き込むデータを含んでいる。
【００８６】
FeliCaサーバ２４０は、処理開始要求に応じたコマンドを発行する（ステップＳ３１８）。FeliCaサーバ２４０は、発行されたコマンドを移動通信端末２１０に送信する（ステップＳ３１９）。このコマンドは、取引を特定可能な所定のデータを専用エリアに書き込む命令を含んでいる。このコマンドは、口座識別情報及び出金額を書き込む命令を少なくとも含み、端末認証情報、（取引の）有効期限、取引通番などを書き込む命令を含んでもよい。ステップＳ３１８のコマンドによって専用エリアに書き込まれるデータは、第１実施形態における取引情報の一例に相当する。
【００８７】
移動通信端末２１０（より詳細には、制御部２１１）は、FeliCaサーバ２４０から送信されたコマンドをFeliCaチップ２１５に供給する。FeliCaチップ２１５において、プロセッサ２１５１は、制御部２１１から供給されたコマンドを実行することにより、専用エリアにデータ（取引情報）を書き込む（ステップＳ３２０）。移動通信端末２１０は、データが書き込まれたら、予約が完了したことを示す画面（以下「予約完了画面」ともいう。）を表示する（ステップＳ３２１）。
【００８８】
図１６は、予約完了画面を示す。このような予約完了画面により、移動通信端末２１０は、予約が完了したことをユーザに通知する。このとき、移動通信端末２１０は、取引情報（金額、有効期限など）をあわせて通知してもよい。予約完了画面は、出金予約アプリによって生成される。
【００８９】
図１７は、出金時における取引システム２００の各部の動作を示すシーケンスチャートである。予約の完了後、ユーザは、適当なタイミングでＡＴＭ２６０から出金する。ユーザは、ＡＴＭ２６０と通信可能な範囲まで移動通信端末２１０を接近させる。典型的には、ユーザは、移動通信端末２１０をＡＴＭ２６０のFeliCaリーダライタ２６６付近にかざす。FeliCaの通信距離は１０ｃｍ程度であるため、ユーザは、移動通信端末２１０をＡＴＭ２６０に近づけるだけでよい。
【００９０】
ＡＴＭ２６０は、移動通信端末２１０のFeliCaチップ２１５と通信可能になると、専用エリアに書き込まれた取引情報を読み出し（ステップＳ３２２）、取引情報に応じた出金電文を勘定系ホスト２５０に送信する（ステップＳ３２３）。ＡＴＭ２６０は、出金予約機能が用いられた場合の出金電文をキャッシュカードが用いられた場合の出金電文と異ならせてもよい。出金予約機能が用いられた場合の出金電文のフォーマットは、事前の取り決めによって決められていればよく、例えば、暗証番号が省略されてもよい。
【００９１】
勘定系ホスト２５０は、出金電文を受信すると、応答電文をＡＴＭ２６０に送信する（ステップＳ３２４）。ＡＴＭ２６０は、応答電文を受信すると、取引情報に記述された出金額に応じた現金を排出する（ステップＳ３２５）。そして、ＡＴＭ２６０は、移動通信端末２１０のFeliCaチップ２１５に対して取引の終了を通知する（ステップＳ３２６）。FeliCaチップ２１５は、ＡＴＭ２６０からの通知に応じて、専用エリアに書き込まれた取引情報を消去する（ステップＳ３２７）。
【００９２】
なお、移動通信端末２１０は、取引に有効期限が設定されている場合において、設定された有効期限を過ぎても取引が実行されていないときには、取引を実行しないように制御してもよい。この制御は、移動通信端末２１０に代えてＡＴＭ２６０によって実行されてもよい。
【００９３】
以上に説明されたように、本実施形態によれば、FeliCaチップ２１５に取引情報を事前に書き込んでおくことが可能である。ユーザは、ＡＴＭ２６０からキャッシュカードを用いて出金する場合に比べ、ＡＴＭ２６０付近での入力等に起因する所要時間を短縮することが可能である。また、本実施形態によれば、各ユーザの所要時間を短縮することにより、ＡＴＭ２６０を必要とするユーザの全体としての待ち時間を短縮する効果を期待することができる。
【００９４】
また、本実施形態によれば、暗証番号等を入力する場所が特定の場所（すなわちＡＴＭ２６０の前）に限定されない。したがって、ユーザは、他人に盗み見されるおそれが少ない場所で暗証番号等を入力することが可能である。さらに、ユーザは、不特定多数の人物が操作するＡＴＭ２６０を操作することなく、自らの移動通信端末２１０を操作するだけで取引を完了することが可能である。
【００９５】
また、本実施形態において、第２サーバ２３０は、口座識別情報と端末識別情報の組合せに基づいて端末認証情報を生成し、これを認証に用いる。これにより、第２サーバ２３０は、口座識別情報と端末識別情報の一方のみに基づいて認証を行う場合に比べ、取引の正当性をより確実に判断することが可能である。
【００９６】
［変形例］
本開示は、上述された第１実施形態及び第２実施形態に限定されない。本開示は、当業者が把握し得る変形又は応用を適用した形態を含み得る。例えば、本開示は、以下に記載する変形例を含む。また、本開示は、本明細書に記載された実施形態及び変形例を必要に応じて適宜に組み合わせた形態を含み得る。例えば、特定の実施形態を用いて説明された事項は、他の実施形態に対しても適用され得る。
【００９７】
（変形例１）
図１８は、取引予約システム３００の構成を示すブロック図である。取引予約システム３００は、移動通信端末３１０と、サーバ装置３２０とを有する。移動通信端末３１０及びサーバ装置３２０は、インターネット等のネットワークを介して相互に接続される。なお、本変形例において、第１実施形態と同一の用語は、特段の定義又は説明がない場合、第１実施形態と同様の意味で用いられる。
【００９８】
移動通信端末３１０は、送信部３１１と、書込部３１２とを有する。送信部３１１は、予約情報をサーバ装置３２０に送信する。書込部３１２は、ユーザに関連付けられた記憶媒体に取引情報を書き込む。ユーザに関連付けられた記憶媒体は、換言すれば、ユーザに関連付けられた識別情報を記憶した記憶媒体である。
【００９９】
移動通信端末３１０は、記憶媒体を内蔵していなくてもよい。移動通信端末３１０は、記憶媒体と通信可能であればよい。例えば、ここでいう記憶媒体は、いわゆるスマートカード（キャッシュカード等）に搭載されたＩＣチップであってもよい。
【０１００】
サーバ装置３２０は、受信部３２１と、認証部３２２と、書込制御部３２３とを有する。受信部３２１は、移動通信端末３１０から送信された予約情報を受信する。認証部３２２は、受信部３２１により受信された予約情報をあらかじめ登録された情報に基づいて認証する。書込制御部３２３は、認証部３２２により認証された予約情報に応じた取引情報の書き込みを書込部３１２に実行させる。サーバ装置３２０は、第１実施形態における取引予約装置１００に相当する機能を有する。
【０１０１】
（変形例２）
第２サーバ２３０は、取引情報を更新することが可能である。例えば、第２サーバ２３０は、同一の口座に対して取引が完了する前に複数回の予約が実行された場合に、最新の予約情報に応じた取引情報のみをFeliCaチップ２１５に反映させる。あるいは、第２サーバ２３０は、同一の口座に対して取引が完了する前に複数回の予約が実行された場合に、それぞれの予約に係る金額を加算（又は減算）してもよい。これにより、ユーザは、予約した取引の内容を途中で変更することが可能になる。
【０１０２】
例えば、第２サーバ２３０が第１の予約情報を受信した後に第２の予約情報を受信したとする。第２サーバ２３０は、これらの予約情報に含まれる口座情報を比較し、両者の口座情報が一致する場合には同一の口座からの出金を示すと判断する。
【０１０３】
ここにおいて、第１の予約情報が「10,000円」の出金を示し、第２の予約情報が「15,000円」の出金を示している場合、第２サーバ２３０は、「25,000円」の出金が予約されるようにコマンドを発行する。あるいは、第２サーバ２３０は、第１の予約情報がキャンセルされ、第２の予約情報によって上書きされたとみなし、「15,000円」の出金が予約されるようにコマンドを発行する。なお、第２サーバ２３０は、３以上の予約情報を受信した場合においても、同様に動作すればよい。
【０１０４】
（変形例３）
移動通信端末２１０は、表示以外の方法で情報をユーザに通知してもよい。例えば、移動通信端末２１０は、予約の完了や取引の終了をスピーカ（すなわち音声）やバイブレータ（すなわち振動）によって通知することも可能である。
【０１０５】
（変形例４）
本開示における出金は、所定の口座から現金を引き出すことに加え、金融機関からの融資（ローン、キャッシング等）を含んでもよい。また、本開示における現金の取引は、出金に限定されず、例えば現金振込を含んでもよい。現金振込の場合、ユーザは、振込先の口座情報や振込額を事前に入力する。
【０１０６】
（変形例５）
本開示に係る各装置（取引予約装置１００、第２サーバ２３０、サーバ装置３２０等）の具体的なハードウェア構成は、さまざまなバリエーションが考えられ、特定の構成に限定されない。例えば、各装置は、ソフトウェアを用いて実現されてもよい。
【０１０７】
図１９は、各装置を実現するコンピュータ装置４００のハードウェア構成の一例を示すブロック図である。コンピュータ装置４００は、ＣＰＵ（Central Processing Unit）４０１と、ＲＯＭ（Read Only Memory）４０２と、ＲＡＭ（Random Access Memory）４０３と、記憶装置４０４と、ドライブ装置４０５と、通信インタフェース４０６と、入出力インタフェース４０７とを備える。本開示に係る各装置は、図１９に示される構成（又はその一部）によって実現され得る。
【０１０８】
ＣＰＵ４０１は、ＲＡＭ４０３を用いてプログラム４０８を実行する。プログラム４０８は、ＲＯＭ４０２に記憶されていてもよい。また、プログラム４０８は、フラッシュメモリなどの記録媒体４０９に記録され、ドライブ装置４０５によって読み出されてもよいし、外部装置からネットワーク４１０を介して送信されてもよい。通信インタフェース４０６は、ネットワーク４１０を介して外部装置とデータをやり取りする。入出力インタフェース４０７は、周辺機器（入力装置、表示装置など）とデータをやり取りする。通信インタフェース４０６及び入出力インタフェース４０７は、データを取得又は出力する手段として機能することができる。
【０１０９】
なお、各装置の構成要素は、単一の回路（プロセッサ等）によって構成されてもよいし、複数の回路の組み合わせによって構成されてもよい。ここでいう回路（circuitry）は、専用又は汎用のいずれであってもよい。
【０１１０】
上述された実施形態において複数の装置として説明された構成は、単体の装置として構成されてもよい。例えば、第１サーバ２２０及び第２サーバ２３０は、第２実施形態では別異の装置として説明されているが、単体のサーバ装置として構成されてもよい。また、上述された実施形態において単体の装置として説明された構成は、複数の装置に分散して設けられてもよい。例えば、取引予約装置１００は、クラウドコンピューティング技術などを用いて、複数のコンピュータ装置によって実現されてもよい。
【符号の説明】
【０１１１】
１００    取引予約装置
１１０    取得部
１２０    認証部
１３０    書込制御部
２００    取引システム
２１０    移動通信端末
２２０    第１サーバ
２３０    第２サーバ
２４０    FeliCaサーバ
２５０    勘定系ホスト
２６０    ＡＴＭ
２７０    ネットワーク
３００    取引予約システム
３１０    移動通信端末
３２０    サーバ装置
４００    コンピュータ装置
【図１】
2017173987.tif 000003
【図２】
2017173987.tif 000004
【図３】
2017173987.tif 000005
【図４】
2017173987.tif 000006
【図５】
2017173987.tif 000007
【図６】
2017173987.tif 000008
【図７】
2017173987.tif 000009
【図８】
2017173987.tif 000010
【図９】
2017173987.tif 000011
【図１０】
2017173987.tif 000012
【図１１】
2017173987.tif 000013
【図１２】
2017173987.tif 000014
【図１３】
2017173987.tif 000015
【図１４】
2017173987.tif 000016
【図１５】
2017173987.tif 000017
【図１６】
2017173987.tif 000018
【図１７】
2017173987.tif 000019
【図１８】
2017173987.tif 000020
【図１９】
2017173987.tif 000021